(57)【要約】【課題】従来、缶入り飲料を横に倒した状態で容器内に入れた氷に接触させつつ回転させて冷却している。これは、缶入り飲料の冷却のために氷が必要であり、そのために冷蔵庫の製氷器等で氷を作りそれを利用することになる。本発明は、氷を使用しない方式であって必要に応じて可搬にて自由な場所に移動して缶入り飲料を冷却できる缶入り飲料冷却器を提供するものである。【解決手段】蓄冷材の内側領域に缶入り飲料を配置し、前記缶入り飲料を電動機装置によって回転させつつ、前記蓄冷材の内側領域に入れた水によって前記蓄冷材と前記缶入り飲料との伝熱性を高めるようにしたことを特徴とする。【選択図】  図１
2004156839.tif 000002
【特許請求の範囲】
【請求項１】
蓄冷材で囲まれた内側領域に前記蓄冷材から離れた状態で缶入り飲料一個が縦方向に収容可能な冷却領域を形成した容器と、前記蓄冷材の低温が前記缶入り飲料へ伝達されるように前記冷却領域内に注入した水中で缶入り飲料を回転させる電動機装置を備え、前記蓄冷材を前記容器に対して着脱自在に設けたことを特徴とする缶入り飲料冷却器。
【請求項２】
外周に蓄冷材を備え上面開口を通して缶入り飲料一個が縦方向に収容可能な水槽と、前記水槽内の水に浸した前記缶入り飲料を回転させる電動機装置と、上面に開口した容器とを備え、前記水槽と共に前記蓄冷材を前記容器の上面開口を通して前記容器に着脱自在に設けたことを特徴とする缶入り飲料冷却器。
【請求項３】
蓄冷材の内側領域に缶入り飲料を配置し、前記缶入り飲料を電動機装置によって回転させつつ、前記蓄冷材の内側領域に入れた水によって前記蓄冷材と前記缶入り飲料との伝熱性を高めるようにしたことを特徴とする缶入り飲料冷却方法。
【発明の詳細な説明】
【０００１】
【発明の属する技術分野】
本発明は、缶入り飲料を冷却環境で回転させて冷却する缶入り飲料冷却器並びに缶入り飲料冷却方法に関する。
【０００２】
【従来の技術】
従来、氷収納容器内に収納した氷上に缶入り飲料を載置した状態で回転させて氷の融解熱と説けた冷水によって缶入り飲料を冷却する缶入り飲料冷却器がある（特許文献１参照）。また、冷蔵庫の冷蔵室内に冷却板とその下に蓄冷材を配置して、この冷却板と蓄冷材が常時冷却される状態に置き、この冷却板に載せた缶入り飲料をギアモータによって回転させて冷却するものがある（特許文献２参照）。
【０００３】
【特許文献１】
特開平１０‐２６７４８７号公報（第２〜３頁、図１〜２）
【特許文献２】
特開２００２−２９５９７１号公報（第２〜３頁、図１〜５）
【０００４】
【発明が解決しようとする課題】
特許文献１及び２の双方とも、缶入り飲料を横に倒した状態で回転させる点で共通している。そして、特許文献１のものは、缶入り飲料の冷却のために氷が必要であり、そのために冷蔵庫の製氷器等で氷を作りそれを利用することになる。しかし、夏季等の高温期には氷の消費が多くなり、缶入り飲料を冷却するためにその氷を使うことは氷不足が生じかねず、そのために、缶入り飲料の冷却以外で必要な氷の確保にも気遣いが生じ、氷不足の生じる際には缶入り飲料の冷却を見合わせることにもなる。
【０００５】
また、特許文献２のものは、氷を使用しないので特許文献１のような問題はないが、冷蔵庫内に備え付けであり、常にその部分を空けておかなければならず、それによって冷蔵室内の利用範囲が制限される問題がある。仮にその部分を他の物品の冷却に利用する場合にも、缶入り飲料が嵌り込む窪みによって物品を安定的に載置できず、また缶入り飲料の冷却時にはその物品を冷蔵室から取り出す作業が必要となり、何れにしても面倒なこととなる。
【０００６】
本発明はこのような点に鑑みて、氷を使用しない方式であって必要に応じて可搬にて自由な場所に移動して缶入り飲料を冷却できる缶入り飲料冷却器を提供するものである。
【０００７】
【課題を解決するための手段】
本発明の缶入り飲料冷却器は、蓄冷材で囲まれた内側領域に前記蓄冷材から離れた状態で缶入り飲料一個が縦方向に収容可能な冷却領域を形成した容器と、前記蓄冷材の低温が前記缶入り飲料へ伝達されるように前記冷却領域内に注入した水中で缶入り飲料を回転させる電動機装置を備え、前記蓄冷材を前記容器に対して着脱自在に設けたことを特徴とする。
【０００８】
また、本発明の缶入り飲料冷却器は、外周に蓄冷材を備え上面開口を通して缶入り飲料一個が縦方向に収容可能な水槽と、前記水槽内の水に浸した前記缶入り飲料を回転させる電動機装置と、上面に開口した容器とを備え、前記水槽と共に前記蓄冷材を前記容器の上面開口を通して前記容器に着脱自在に設けたことを特徴とする。
【０００９】
また、本発明の缶入り飲料冷却方法は、蓄冷材の内側領域に缶入り飲料を配置し、前記缶入り飲料を電動機装置によって回転させつつ、前記蓄冷材の内側領域に入れた水によって前記蓄冷材と前記缶入り飲料との伝熱性を高めるようにしたことを特徴とする。
【００１０】
本発明では、蓄冷材の潜熱によって水槽中の水と缶入り飲料を冷却する。このため、予め蓄冷材を冷蔵室や冷凍室で冷却しておくことにより、複数の缶入り飲料を缶入り飲料冷却器に順次取り付けて冷却することに適する。このため、氷を入れた容器内で缶入り飲料を電動機によって回転させて冷却する方式に比して、予め冷蔵庫の製氷器によって氷を作る手間もなく、使用上の便利さが増す。そして、冷蔵庫の製氷器で作った氷は別途の使用に使えることができる。また、蓄冷材の厚さを厚くしておけば、順次取り付けて冷却できる缶入り飲料の本数が増加する。
【００１１】
【発明の実施の形態】
次に、本発明の実施の形態について説明する。各図は本発明の実施形態を示しており、図１は本発明缶入り飲料冷却器の縦断側面図、図２は他の実施形態に係る本発明缶入り飲料冷却器の縦断側面図、図３は更に他の実施形態に係る本発明缶入り飲料冷却器の縦断側面図である。
【００１２】
図１において、１は缶入り飲料冷却器であり、２は上面に開口した円筒状の容器、３は外周に蓄冷材４を備え上面開口５を形成した円筒状の水槽である。この容器２と水槽３によって貯溜した水を後述の蓄冷材４によって冷却するよう構成した冷却容器を構成している。水槽３は、上面開口を通して缶入り飲料６が一個縦方向に収容可能な大きさを有し、容器２に対して取り出しと挿入が容易に行えるように容器２内に若干の余裕を持って組み合わされる寸法関係であり、容器２の上面開口の周縁に形成したフランジ２Ａに水槽３の上面開口の周縁に形成したフランジ３Ｃが載置される。
【００１３】
蓄冷材４は、水槽３の内側壁３Ａを冷却するように水槽３の内側壁３Ａと外側壁３Ｂの間に設けられ、水槽３の内側壁３Ａで囲まれた内側領域に内側壁３Ａから離れた状態で缶入り飲料６の一個が縦方向に収容可能な冷却領域３０を形成する。即ち、蓄冷材４で囲まれた内側領域に蓄冷材４から離れた状態で缶入り飲料６一個が縦方向に収容可能な冷却領域３０を形成することとなる。
【００１４】
缶入り飲料６は、ビールや清涼飲料等がアルミニウム等の金属缶に封入された円筒状の形態である。７は缶入り飲料６を水槽３内で回転させるための電動機装置であり、缶入り飲料６を水槽３内の略中心軸上で回転させることが好ましい。電動機装置７の電源は、一般家庭に引き込まれた商用電源又はこの電動機装置７に着脱自在に組み込まれた電池である。電動機装置７は、電動機の回転が歯車機構を介して減速した状態で回転される減速回転軸８に吸盤９が取り付けられている。電動機装置７は、ヒンジ装置１０によって容器２に対して点線のように回動可能に支持されている。
【００１５】
水槽３は、その中に貯溜した水１１を蓄冷材４によって冷却するためには、内側壁３Ａは金属で構成されており、錆を考慮してアルミニウム、ステンレス等で構成されている。外側壁３Ｂも同様の材質で構成することもできるが、蓄冷材４の断熱を考慮すれば、外側壁３Ｂは合成樹脂製がよい。容器２は、金属製とし錆を考慮してアルミニウム、ステンレス等で構成すればよいが、蓄冷材４の断熱を考慮すれば合成樹脂製でもよい。
【００１６】
蓄冷材４は、冷蔵庫の冷蔵室や冷凍室で冷却することにより所定時間冷却状態を保持する物質で構成される。蓄冷材４としては例えば、エチレングリコールやプロピレングリコールの水溶液の有機性ブライン、又はこの有機性ブラインと水溶性高分子の水溶液の混合物等が合成樹脂の袋に密封された状態で、水槽３の内側壁３Ａと外側壁３Ｂの間に組み込まれている。若し蓄冷材４を包む合成樹脂の袋が破損した場合は、交換が可能となる。また、前記の有機性ブラインや混合物等の蓄冷材４は、合成樹脂の袋に密封することなくそのまま水槽３の内側壁３Ａと外側壁３Ｂの間に密封する構成とすれば、蓄冷材４の保護上の安全性が向上する。
【００１７】
蓄冷材４は、水槽３の内側壁３Ａと外側壁３Ｂ間に配置した状態で冷蔵庫の冷蔵室や冷凍室で冷却することができる。また、水槽３の内側壁３Ａと外側壁３Ｂが相互に分離又は開閉可能に構成されれば、蓄冷材４が上記のように合成樹脂の袋に密封された状態であれば、水槽３から取り外して冷蔵庫の冷蔵室や冷凍室で冷却することができる。その一つの実施形態として、合成樹脂の袋に密封された縦長形状の蓄冷材４を複数準備し、これら蓄冷材４を内側壁３Ａに密着するように円筒状に配置する構成とすることもできる。この場合、蓄冷材４を内側壁３Ａと外側壁３Ｂ間から取り出して冷蔵庫の冷蔵室や冷凍室で冷却した後、この内側壁３Ａと外側壁３Ｂ間に円筒状に配置することができるし、蓄冷材４を包む合成樹脂の袋の洗浄も簡単となる。また、若し蓄冷材４を包む合成樹脂の袋が破損した場合は交換が可能である。
【００１８】
点線のように電動機装置７をヒンジ装置１０によって容器２に対して上方へ開いた状態において、水槽３を容器２内にセットし、缶入り飲料６を水槽３内に手で保持しつつ電動機装置７を実線の位置へ向けて回動させて吸盤９によって缶入り飲料６の上面を吸着した後、実線の状態にセットする。この状態は、缶入り飲料６が略水槽３の軸線上に配置され、缶入り飲料６の周囲には水１１の層が形成された状態である。そして、水槽３の底に形成した略丸い山型形状の起伏部１５が缶入り飲料６の底の窪み１６に対応した状態となる。水槽３の内面には適性注水レベルを表示するレベル表示を設け、缶入り飲料６を吸盤９に吸着する前にこのレベル表示部まで水を水槽３内に入れておくことにより、蓄冷材４によってある程度予冷できるが、缶入り飲料６を吸盤９に吸着した後、水槽３内に注入する方法でもよい。
【００１９】
この状態で、電動機装置７のスイッチ１７を入れて電動機装置７を駆動させて缶入り飲料６を回転させる。この回転によって、水１１を介して蓄冷材４によって缶入り飲料６が飲み頃の温度に冷却される。この冷却において缶入り飲料６が揺れても、その底の窪み１６に入り込んだ水槽３の底の起伏部１５によってその揺れが制限され安定する。また、缶入り飲料６の底の窪み１６に溜まった空気が缶入り飲料６に浮力作用をし、缶入り飲料６の荷重の支えとなり、吸盤９の吸着に対する負荷の軽減と、ヒンジ装置１０への負荷を軽減する。
【００２０】
次に図２の実施形態について説明する。これにおいて、図１と同符合の部分は同一機能部分を示しており、その説明は図１で説明した部分を援用する。この図２の形態は、容器２が水槽を形成し、合成樹脂の袋に密封された蓄冷材４を円筒状の内側壁１４Ａと外側壁１４Ｂの間に保持したものを容器２内に挿入する構成を示している。内側壁１４Ａと外側壁１４Ｂの双方、又は内側壁１４Ａを網状若しくはスリット状に形成して合成樹脂の袋に密封された蓄冷材４を保持するように構成し、容器２内にそれを取り出し自在に挿入する構成とすることができる。このような構成によって、蓄冷材４で囲まれた内側領域には、蓄冷材４から離れた状態で缶入り飲料６一個が縦方向に収容可能な冷却領域３０を形成することとなる。
【００２１】
この構成によって、容器２内の水１１は合成樹脂の袋に密封された蓄冷材４に直接接触するため、冷却効率がよい。この場合、円筒状の内側壁１４Ａと外側壁１４Ｂの間に合成樹脂の袋に密封された蓄冷材４を保持した状態で、冷蔵庫の冷蔵室や冷凍室で冷却した後、容器２内にそれを挿入することができる。容器２の底には、図１の水槽３の底に形成したものと同様の作用をする略丸い山型形状の起伏部１５Ａを缶入り飲料６の底の窪み１６に対応した位置に形成している。
【００２２】
この状態で、缶入り飲料６が略容器２の軸線上に配置され、缶入り飲料６の周囲には水１１の層が形成された状態である。電動機装置７のスイッチ１７を入れて電動機装置７を駆動させて缶入り飲料６を回転させると、この回転によって、水１１を介して蓄冷材４によって缶入り飲料６が飲み頃の温度に冷却される。
【００２３】
また、内側壁１４Ａと外側壁１４Ｂが相互に分離可能な構成であれば、蓄冷材４を内側壁１４Ａと外側壁１４Ｂ間から取り出した状態で、冷蔵庫の冷蔵室や冷凍室で冷却した後、蓄冷材４を円筒状の内側壁１４Ａと外側壁１４Ｂ間に配置保持して容器２内にそれを挿入することができる。この場合、蓄冷材４は、合成樹脂の袋に密封された円筒状であってもよいが、取り扱い上からすれば、合成樹脂の袋に密封された縦長形状の蓄冷材４の複数を組み合わせて内側壁１４Ａに密着する状態で円筒状に配置する形態がよい。この場合、蓄冷材４を内側壁１４Ａと外側壁１４Ｂ間から取り出して冷蔵庫の冷蔵室や冷凍室で冷却した後、この内側壁１４Ａと外側壁１４Ｂ間に円筒状に配置することができるし、蓄冷材４を包む合成樹脂の袋の洗浄も簡単となる。また、若し蓄冷材４を包む合成樹脂の袋が破損した場合は交換が可能である。
【００２４】
図３には更に他の実施形態を示している。これにおいて、図１及び図２と同符合の部分は同一機能部分を示しており、その説明は図１及び図２で説明した部分を援用する。図３の形態は、容器２の上面開口を覆うパッキン２１を備えた蓋体２０を容器２に着脱自在に設けた構成である。蓋体２０は、容器２の上端周縁部に形成したネジに着脱自在に螺合するネジを有する形態と、蓋体２０をフック機構によって容器２に着脱自在に設けた構成、又はその他の構成の何れでもよい。この構成においても、蓄冷材４で囲まれた内側領域に蓄冷材４から離れた状態で缶入り飲料６一個が縦方向に収容可能な冷却領域３０を形成している。
【００２５】
蓋体２０には電動機装置７を設け、図１及び図２の形態と同様に、電動機装置７によって吸盤９を回転させて水１１を介して蓄冷材４によって缶入り飲料６が飲み頃の温度に冷却される構成である。缶入り飲料６が略水槽３又は容器２の中心軸線上に配置され、缶入り飲料６の周囲には水１１の層が形成された状態である。
【００２６】
本発明は上記のように、蓄冷材４で囲まれた内側領域に蓄冷材４から離れた状態で缶入り飲料６一個が縦方向に収容可能な冷却領域３０を形成した容器２と、蓄冷材４の低温が缶入り飲料６へ伝達されるように冷却領域３０内に注入した水中１１で缶入り飲料６を回転させる電動機装置７を備え、蓄冷材４を容器２に対して着脱自在に設け、冷却領域３０に入れた水１１によって蓄冷材４と缶入り飲料６との伝熱性を高めるようにしている。このため、貯溜した水１１を蓄冷材４によって冷却するよう構成した容器２内の水中で缶入り飲料６を回転させる電動機装置７を備え、蓄冷材４を容器２に対して着脱自在に設けた構成である。これによって、水１１を介して蓄冷材４によって缶入り飲料６が飲み頃の温度に冷却され、３０℃の缶入り飲料６を約９０秒間電動機装置７にて回転させることにより、飲み頃の温度に冷却できる缶入り飲料冷却器を提供できる。
【００２７】
上記実施形態では、容器２と水槽３が円筒状であるが、多角形状でもよい。また、缶入り飲料６の上面に吸盤９が吸着し難い場合は、缶入り飲料６の底面に吸盤９が吸着保持する形態でもよく、その場合、水槽３又は容器２の底面の起伏部１５、１５Ａは不要である。したがって、本発明は、上記実施形態に限定されず、本発明の技術的範囲を逸脱しない限り種種の変更が考えられ、それに係る種種の実施形態を包含するものである。
【００２８】
【発明の効果】
本発明は、蓄冷材の潜熱によって水槽中の水と缶入り飲料を冷却する。このため、予め蓄冷材を冷蔵室や冷凍室で冷却しておくことにより、複数の缶入り飲料を缶入り飲料冷却器に順次取り付けて冷却することに適する。そして、氷を入れた容器内で缶入り飲料を電動機によって回転させて冷却する方式に比して、予め冷蔵庫の製氷器によって氷を作る手間もなく、使用上の便利さが増す。また、冷蔵庫の製氷器で作った氷は別途の使用に使えることができる。また、蓄冷材の厚さを厚くしておけば、冷却できる缶入り飲料の本数が増加する。
【図面の簡単な説明】
【図１】本発明缶入り飲料冷却器の縦断側面図である。
【図２】他の実施形態に係る本発明缶入り飲料冷却器の縦断側面図である。
【図３】更に他の実施形態に係る本発明缶入り飲料冷却器の縦断側面図である。
【符号の説明】
１・・・缶入り飲料冷却器
２・・・容器
３・・・水槽
４・・・蓄冷材
５・・・水槽の上面開口
６・・・缶入り飲料
７・・・電動機装置
９・・・吸盤
１０・・ヒンジ装置
１１・・水
【図１】
2004156839.tif 000003
【図２】
2004156839.tif 000004
【図３】
2004156839.tif 000005